【事件の表示】
　特願２００２−２４９００６「ゴルフスイング分析システム」拒絶査定不服審判事件〔平成１６年　３月１８日出願公開、特開２００４−　８１６８３〕について、次のとおり審決する。
【結　論】
　本件審判の請求は、成り立たない。
【理　由】
１．手続の経緯
　本願は、平成１４年８月２８日に出願したものであって、平成１９年１０月１２日付けで手続補正書がなされ、平成２０年１月２４日付けで拒絶査定がなされ、これに対し、同年２月２８日付けで拒絶査定に対する審判請求がなされるとともに、同日付けで明細書についての手続補正がなされたものである。
　その後、平成２１年８月２６日付けで、審判請求人に前置報告書の内容を示し意見を求めるための審尋を行ったところ、同年１１月２日に回答書が提出された。
　当審においてこれを審理した結果、平成２２年５月２５日付けで拒絶の理由を通知したところ、請求人は同年７月３０日付けで意見書及び手続補正書を提出した。
　
２．本願発明
　本願の請求項１〜６に係る発明は、平成２２年７月３０日付け手続補正で補正された明細書の記載からみて、特許請求の範囲の請求項１〜６に記載された事項により特定されるものであり、その請求項１に係る発明（以下、「本願発明」という。）は、以下のとおりである。
「ゴルフクラブを用いて行うゴルフスイングの分析を行うゴルフスイング分析システムであって、
　前記ゴルフスイング中の、所定の基準位置に対する前記ゴルフクラブのグリップ部の３次元位置の時系列データ、および、所定の基準方向に対する前記グリップ部の向きの時系列データを計測する３次元位置・向き計測装置と、
　前記３次元位置・向き計測装置から供給された前記グリップ部の３次元位置の時系列データと前記グリップ部の向きの時系列データとに基づいて、前記ゴルフクラブのシャフトの動きを再現する、前記シャフトの長さに相当するスティックの軌跡を表した動画データを作成するデータ処理装置と、
　このデータ処理装置から出力された動画データを用いて、前記ゴルフスイングにおけるトップの状態からダウンスイングの状態、さらに、フォロースルーに至る前記ゴルフクラブのシャフトの動きの履歴を再現する、複数の前記スティックの軌跡を重書きして表した動画を再生表示する画像表示装置とを有し、
　前記ゴルフスイングの動画に、理想とするパターンのゴルフスイングの動画を、表示の色を変えて重書きして表示することを特徴とするゴルフスイング分析システム。」
　
３．引用刊行物
（ａ）平成２２年５月２５日付け当審の拒絶の理由に引用され、本願出願前に頒布された刊行物である特開２００２−２１００５５号公報（以下、「刊行物１」という。）には、以下の記載が図とともにある。（下線は審決において付した。以下、同じ。）
 　ア．【０００３】当該運動の例としては
ゴルフ
運動における器具とは
クラブ
【０００４】当該運動において、前記スイング動作の目的を達成するためには、
スイング動作を何らかの方法で測定評価し、その結果をもとにスイング動作の欠点を改善する
　イ．【０００６】この問題を解決する測定方法として、
人間の動作をＶＴＲやＣＣＤカメラ等で撮像し、その画像をコンピュータに取り込み計算処理することにより、人間の動作形態を時系列的な空間座標値として記録する動作測定システム
ひとつの動作を複数の方向から撮像することにより、動作形態の３次元空間座標値を得る
これら空間座標値データすなわち
測定座標点群を用い
スティックピクチャーさらにはアニメーション等のコンピュータグラフィックスとしてスイング中の身体や器具の動きを画面表示させる
　ウ．【０００８】ところで、前記動作分析システムは、前述のように測定データから動作形態をスティックピクチャーもしくはアニメーションといったコンピュータグラフィックスにて画像表示させる手段を有するが、複数の動作形態を比較するという目的には相応しくない。図３に、
２つの動作を測定して得られた２つのスティックピクチャーを重ねて画像表示させ
【０００９】前記動作分析システムにおける前記問題を対応するために、複数の動作において重要な意味を持つ部分だけを抽出し、それら複数の抽出部分のみを重ねて画像表示することが一般的である。図５には
２つのスイングにおける器具の動きのみを抽出し、両者を重ねて画像表示した
【００１０】一方、スイング動作測定の目的は０００４にて記述した通り、スイング動作の欠点を改善すること、もしくはスイング動作の特徴に対して器具を最適化するために必要な情報を得ることである。その目的を達成するためには、例えば
被験者の測定データに基づくコンピュータグラフィックスを上級者のものと比較する
　エ．【図１】から、
被験者のシャフト先端部及びシャフト手元部の座標に対する時系列の測定座標点群
　オ．【図２】、【図３】及び【図５】から、
ゴルフスイングにおけるトップの状態からダウンスイングの状態、さらに、フォロースルーに至るスティックピクチャーを表示している
　
　上記記載及び図面を含む刊行物１全体の記載から、刊行物１には、以下の発明が記載されていると認められる。
「ゴルフなどの運動における器具であるクラブのスイング動作を測定評価し、その結果をもとにスイング動作の欠点を改善することを目的とし、
　人間の動作をＶＴＲやＣＣＤカメラ等で撮像し、その画像をコンピュータに取り込み計算処理することにより、人間の動作形態を時系列的な空間座標値として記録する動作測定システムであって、
　ひとつの動作を複数の方向から撮像することにより、動作形態の３次元空間座標値を得、
　これら空間座標値データすなわち、被験者のシャフト先端部及びシャフト手元部の座標に対する時系列の測定座標点群を用い、スティックピクチャーさらにはアニメーション等のコンピュータグラフィックスとしてスイング中の身体や器具の動きを画面表示させるものであって、
　ゴルフスイングにおけるトップの状態からダウンスイングの状態、さらに、フォロースルーに至るスティックピクチャーを表示することや、
　２つの動作を測定して得られた２つのスティックピクチャーを重ねて画像表示させることや、
　２つのスイングにおける器具の動きのみを抽出し、両者を重ねて画像表示することができる動作測定システム。」（以下「引用発明」という。）
　
（ｂ）平成２２年５月２５日付け当審の拒絶の理由に引用され、本願出願前に頒布された刊行物である特開２００１−１１２９０３号公報（以下、「刊行物２」という。）には、以下の記載が図とともにある。
　カ．【請求項１】打撃用具を、この打撃用具の備えるグリップ部を握ってスウィングする際のスウィングの挙動を測定するスウィング測定方法であって、
スウィングの際のグリップ部の移動範囲内に、強さと方向に関する分布が既知の磁場を形成し、
磁場内の磁気を感知する
磁気センサ
所定の基準位置に対する測定点の３次元位置および所定の基準方向に対する前記測定点の向きに応じて信号を出力する３次元磁気センサを前記用具のグリップ部に固定
このスウィング中のグリップ部の３次元位置座標またはグリップ部の向きのデータを前記３次元磁気センサから取得することを特徴とするスウィング測定方法。
【請求項２】前記打撃用具は、ゴルフクラブであって、
ゴルフクラブのスウィング中のグリップ部の３次元位置座標およびグリップ部の向きのデータを取得する
　キ．【０００６】また、
複数台のビデオカメラを用いてスウィングフォームを３次元的に撮影して
スウィング中死角が生じないように複数台のビデオカメラをセットするのは容易ではない。また、複数台のビデオカメラの同期を取る必要があるためセッティングが容易ではなく、また、死角が生じないように適切にビデオカメラをセットしたとしても、スウィング中のゴルフクラブのヘッド、グリップ部や肘や腕の動きを時系列的に取得したデータは、解像度が制約され解像度の精度が低い。
　
　上記記載及び図面を含む刊行物２全体の記載から、刊行物２には、以下の発明が記載されていると認められる。
「所定の基準位置に対する測定点の３次元位置および所定の基準方向に対する前記測定点の向きに応じて信号を出力する３次元磁気センサを用具のグリップ部に固定し、ゴルフクラブのスウィング中のグリップ部の３次元位置座標およびグリップ部の向きのデータを取得するスウィング測定装置。」
　
４．対比
　ａ．本願発明と引用発明とを比較すると、引用発明の「ゴルフなどの運動における器具であるクラブ」、「スイング動作を測定評価し、その結果をもとにスイング動作の欠点を改善する」、「動作測定システム」、「『ゴルフ』『の運動における』『人間の動作』」、「座標」、「『動作形態の３次元空間座標値』である『シャフト手元部の』『時系列の測定座標点群』」、「ゴルフスイングにおけるトップの状態からダウンスイングの状態、さらに、フォロースルーに至るスティックピクチャー」及び「２つのスティックピクチャーを重ねて画像表示させる」は、それぞれ本願発明の「ゴルフクラブ」、「ゴルフスイングの分析を行う」、「ゴルフスイング分析システム」、「ゴルフスイング中」、「所定の基準位置」、「グリップ部の３次元位置の時系列データ」、「ゴルフスイングにおけるトップの状態からダウンスイングの状態、さらに、フォロースルーに至る前記ゴルフクラブのシャフトの動きの履歴」及び「スティックの軌跡を重書きして表した」に相当する。
　ｂ．引用発明は「ＶＴＲやＣＣＤカメラ等」によって、「撮像し、その画像をコンピュータに取り込み計算処理することにより、人間の動作形態を時系列的な空間座標値として記録する」から、スイング計測装置を有していることは当業者に明らかであり、本願発明の「ゴルフクラブのグリップ部の３次元位置の時系列データ、および、所定の基準方向に対する前記グリップ部の向きの時系列データを計測する３次元位置・向き計測装置」と、「ゴルフクラブのグリップ部の３次元位置の時系列データを計測するスイング計測装置」の点で共通する。
　ｃ．引用発明は、「ＶＴＲやＣＣＤカメラ等で撮像し、その画像をコンピュータに取り込み計算処理することにより、人間の動作形態を時系列的な空間座標値として記録」し、「ひとつの動作を複数の方向から撮像することにより、動作形態の３次元空間座標値を得、これら空間座標値データすなわち、被験者のシャフト先端部及びシャフト手元部の座標に対する時系列の測定座標点群を用い、スティックピクチャーさらにはアニメーション等のコンピュータグラフィックスとしてスイング中の身体や器具の動きを画面表示させるもの」であって、そのためのデータ処理装置を有することは当業者に明らかであるから、本願発明の「前記３次元位置・向き計測装置から供給された前記グリップ部の３次元位置の時系列データと前記グリップ部の向きの時系列データとに基づいて、前記ゴルフクラブのシャフトの動きを再現する、前記シャフトの長さに相当するスティックの軌跡を表した動画データを作成するデータ処理装置」と、「前記３次元計測装置から供給された前記グリップ部の３次元位置の時系列データと他のデータとに基づいて、前記ゴルフクラブのシャフトの動きを再現する、前記シャフトの長さに相当するスティックの軌跡を表した動画データを作成するデータ処理装置」の点で共通する。
　ｄ．引用発明は、「これら空間座標値データすなわち、被験者のシャフト先端部及びシャフト手元部の座標に対する時系列の測定座標点群を用い、スティックピクチャーさらにはアニメーション等のコンピュータグラフィックスとしてスイング中の身体や器具の動きを画面表示させるものであって、ゴルフスイングにおけるトップの状態からダウンスイングの状態、さらに、フォロースルーに至るスティックピクチャーを表示することや、２つの動作を測定して得られた２つのスティックピクチャーを重ねて画像表示させることや、スイングにおける器具の動きのみを抽出し、両者を重ねて画像表示することができる」ものであり、動画を再生表示する画像表示装置を有することは当業者に明らかであるから、本願発明の「このデータ処理装置から出力された動画データを用いて、前記ゴルフスイングにおけるトップの状態からダウンスイングの状態、さらに、フォロースルーに至る前記ゴルフクラブのシャフトの動きの履歴を再現する、複数の前記スティックの軌跡を重書きして表した動画を再生表示する画像表示装置」を有するものといえる。
　ｅ．よって、本願発明と引用発明は、
「ゴルフクラブを用いて行うゴルフスイングの分析を行うゴルフスイング分析システムであって、
　前記ゴルフスイング中の、所定の基準位置に対する前記ゴルフクラブのグリップ部の３次元位置の時系列データを計測するスイング計測装置と、
　前記３次元計測装置から供給された前記グリップ部の３次元位置の時系列データと他のデータに基づいて、前記ゴルフクラブのシャフトの動きを再現する、前記シャフトの長さに相当するスティックの軌跡を表した動画データを作成するデータ処理装置と、
　このデータ処理装置から出力された動画データを用いて、前記ゴルフスイングにおけるトップの状態からダウンスイングの状態、さらに、フォロースルーに至る前記ゴルフクラブのシャフトの動きの履歴を再現する、複数の前記スティックの軌跡を重書きして表した動画を再生表示する画像表示装置とを有するゴルフスイング分析システム。」
の点で一致し、以下の点で相違している。
［相違点１］スイング計測装置に関し、本願発明は、「所定の基準位置に対する前記ゴルフクラブのグリップ部の３次元位置の時系列データ、および、所定の基準方向に対する前記グリップ部の向きの時系列データを計測する３次元位置・向き計測装置」と特定され、「前記３次元位置・向き計測装置から供給された前記グリップ部の３次元位置の時系列データと前記グリップ部の向きの時系列データとに基づいて」動画データが作成されているのに対し、引用発明は、「空間座標値データすなわち、被験者のシャフト先端部及びシャフト手元部の座標に対する時系列の測定座標点群」を得るものである点。
［相違点２］本願発明は「（計測された時系列データに基づいてシャフトの動きを再現する）ゴルフスイングの動画に、理想とするパターンのゴルフスイングの動画を、表示の色を変えて重書きして表示する」と特定されているのに対し、引用発明は、２つの動作を測定して得られた２つのスティックピクチャーを重ねて画像表示させるものであるものの、重書きする内容が本願発明と異なり、表示の色を変えることについての明示がない点。
　
５．判断
　上記相違点１について検討する。
　刊行物２には、「所定の基準位置に対する測定点の３次元位置および所定の基準方向に対する前記測定点の向きに応じて信号を出力する３次元磁気センサを用具のグリップ部に固定し、ゴルフクラブのスウィング中のグリップ部の３次元位置座標およびグリップ部の向きのデータを取得するスウィング測定装置。」が記載されており、刊行物２の段落【０００６】には、複数台のビデオカメラを用いてスウィングフォームを３次元的に撮影する場合、スウィング中死角が生じないように複数台のビデオカメラをセットするのは容易ではないこと、解像度の精度が低いことが記載されているから、スウィング中死角が生じさせず、解像度の精度を向上するべく、引用発明のスイング計測装置として、刊行物２に記載のスウィング測定装置を採用することは、当業者が容易になし得る程度のことである。
　そうすると、所定の基準位置に対するゴルフクラブのグリップ部の３次元位置の時系列データ、および、所定の基準方向に対する前記グリップ部の向きの時系列データを計測する３次元位置・向き計測装置との構成を有することになり、前記３次元位置・向き計測装置から供給された前記グリップ部の３次元位置の時系列データと前記グリップ部の向きの時系列データとに基づいて動画データが作成されることになる。
　よって、上記相違点１のような構成とすることは当業者が容易になし得る程度のことである。
　
　上記相違点２について検討する。
　刊行物１の段落【００１０】には、「被験者の測定データに基づくコンピュータグラフィックスを
上級者
　また、引用発明は「２つの動作を測定して得られた２つのスティックピクチャーを重ねて画像表示させることや、スイングにおける器具の動きのみを抽出し、両者を重ねて画像表示する」ものであるから、より理想のゴルフスイングができるように、重ねて画像表示する一方の画像を理想とするパターンのゴルフスイングの動画とし、計測された時系列データに基づいてシャフトの動きを再現するゴルフスイングの動画に、理想とするパターンのゴルフスイングの動画を重書きして表示することは当業者が容易になし得る程度のことである。
　そして、重書きする際、両者を区別しやすくするために、色を変えて表示することは、設計事項にすぎないものである。
　よって、上記相違点２のような構成とすることは当業者が容易になし得る程度のことである。
　
　以上のように、本願発明の相違点１及び２のような構成とすることは、刊行物１及び２に記載の発明に基づいて当業者が容易に想到できたことであり、かかる発明特定事項を採用することによる本願発明の効果も当業者が予測できる範囲のものである。
　
６．むすび
　以上のとおり、本願発明は、刊行物１及び２に記載の発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。